(57)【要約】【課題】洗剤の使用を無くし、水で効率的に浴室内の洗浄を行うことを目的とする。【解決手段】モード設定手段によって設定された運転モードに対応して、液体微細化手段７と加熱手段５および送風手段６を制御する制御手段９を備えた浴室洗浄装置において、前記運転モードは、浴室の洗浄モードとして簡単洗浄モードとしっかり洗浄モードとを備え、制御手段９は、簡単洗浄モードにおいて、ミスト噴霧手段８から粒径１００μｍ以上のミストを噴霧し、しっかり洗浄モードにおいて、浴室内温度が３８℃、湿度が９０％超えるまでミスト噴霧手段８から吹出し温度８０℃で粒径０．１μｍ程度のミストを噴霧し、その後吹出し粒径１００μｍ以上のミストを噴霧させる構成としたものである。【選択図】図１
2019063487.tif 000002
【特許請求の範囲】
【請求項１】
吸気口と排気口を有する本体ケースと、
前記本体ケース内の前記吸気口と前記排気口を結ぶ風路に設けた送風手段と、
前記送風手段と前記排気口間の風路内に設けた液体微細化手段と、
前記液体微細化手段に含まれ供給された液体を微細化するミスト噴霧手段と、
前記ミスト噴霧手段から噴霧するミストを加熱する加熱手段と、
浴室内温湿度を検知する温湿度センサーと、
運転モードを設定するモード設定手段と、
前記モード設定手段によって設定された運転モードに対応して、
前記液体微細化手段と加熱手段および送風手段を制御する制御手段を備えた浴室洗浄装置において、
前記運転モードは、
浴室の洗浄モードとして簡単洗浄モードとしっかり洗浄モードとを備え、
前記制御手段は、
前記簡単洗浄モードにおいて、入浴後湿度が下がらない段階で、ミスト噴霧手段から吹出し粒径１００μｍ以上のミストを噴霧し、
前記しっかり洗浄モードにおいて、浴室内温度が３８℃、湿度が９０％を超えるまでミスト噴霧手段から吹出し温度８０℃で粒径０．１μｍ程度のミストを噴霧し、
その後粒径１００μｍ以上のミストを噴霧させる
ことを特徴とする浴室洗浄装置。
【請求項２】
前記浴室の洗浄モード終了後に前記送風手段が駆動し、浴室を乾燥させることを特徴とする請求項１記載の浴室洗浄装置。
【請求項３】
前記粒径１００μｍ以上のミストは、０．３Ｌ/ｍｉｎの流量で１ｍ２あたり水量０．２Ｌ噴霧することで、入浴後すぐの浴室汚れを確実に落とすことができることを特徴とする請求項１または２記載の浴室洗浄装置。
【請求項４】
前記しっかり洗浄モードが選択された場合には、前記送風手段が回転して、吸気口に入った浴室内の空気温湿度を測定し、温度が３５℃以上、湿度９０％以上であれば、簡単洗浄モードに切り替わることを特徴とする請求項１から３いずれかに記載の浴室洗浄装置。
【請求項５】
前記液体微細化手段とミスト噴霧手段に供給される液体である水道水を電解する電解水生成部と、前記電解水の供給を開閉する給水切替手段とを備えた請求項１から４いずれかに記載の浴室洗浄装置。
【請求項６】
しっかり洗浄モードにおいて、送風手段を運転しながら、液体微細化手段を運転することを特徴とする請求項１から５いずれかに記載の浴室洗浄装置。
【発明の詳細な説明】
【技術分野】
【０００１】
本発発明浴室に使用される浴室洗浄装置に関する。
【背景技術】
【０００２】
従来、浴室内を洗浄することを目的として浴室壁面に洗浄手段を取り付け、洗浄手段は浴室内の浴槽と洗い場に散水と洗剤の噴霧を行い、その後換気することで浴室内をある程度乾燥した状態で洗浄を終了できる技術が知られている。（例えば特許文献１参照）。
【先行技術文献】
【特許文献】
【０００３】
【特許文献１】特開平１０−２１６０６８号公報
【発明の概要】
【発明が解決しようとする課題】
【０００４】
このような従来の浴室洗浄システムにおいては、固着した汚れを落とすために、洗剤を使用する必要があった。
【０００５】
そこで本発明は、上記従来の課題を解決するものであり、洗剤の使用を無くし、水で効率的に浴室内の洗浄を行うことを目的とする。
【課題を解決するための手段】
【０００６】
そして、この目的を達成するために、本発明に係る浴室洗浄装置は、吸気口と排気口を有する本体ケースと、前記本体ケース内の前記吸気口と前記排気口を結ぶ風路に設けた送風手段と、前記送風手段と前記排気口間の風路内に設けた液体微細化手段と、前記液体微細化手段に含まれ供給された液体を微細化するミスト噴霧手段と、前記ミスト噴霧手段から噴霧するミストを加熱する加熱手段と、浴室内温湿度を検知する温湿度センサーと、運転モードを設定するモード設定手段と、前記モード設定手段によって設定された運転モードに対応して、前記液体微細化手段と加熱手段および送風手段を制御する制御手段を備えた浴室洗浄装置において、前記運転モードは、浴室の洗浄モードとして浴室の洗浄モードとして簡単洗浄モードとしっかり洗浄モードとを備え、前記制御手段は、前記簡単洗浄モードにおいて、ミスト噴霧手段から粒径１００μｍ以上のミストを噴霧し、前記しっかり洗浄モードにおいて、浴室内温度が３８℃、湿度が９０％を超えるまでミスト噴霧手段から吹出し温度８０℃で粒径０．１μｍ程度のミストを噴霧し、その後、吹出し粒径１００μｍ以上のミストを噴霧させる構成としたものであり、これにより所期の目的を達成するものである。
【発明の効果】
【０００７】
本発明によれば、吸気口と排気口を有する本体ケースと、前記本体ケース内の前記吸気口と前記排気口を結ぶ風路に設けた送風手段と、前記送風手段と前記排気口間の風路内に設けた液体微細化手段と、前記液体微細化手段に含まれ供給された液体を微細化するミスト噴霧手段と、前記ミスト噴霧手段から噴霧するミストを加熱する加熱手段と、浴室内温湿度を検知する温湿度センサーと、運転モードを設定するモード設定手段と、前記モード設定手段によって設定された運転モードに対応して、前記液体微細化手段と加熱手段および送風手段を制御する制御手段を備えた浴室洗浄装置において、前記運転モードは、浴室の洗浄モードとして簡単洗浄モードとしっかり洗浄モードとを備え、前記制御手段は、前記簡単洗浄モードにおいて、ミスト噴霧手段から粒径１００μｍ以上のミストを噴霧し、前記しっかり洗浄モードにおいて、浴室内浴室内温度が３８℃、湿度が９０％を超えるまでミスト噴霧手段から吹出し温度８０℃で粒径０．１μｍ程度のミストを噴霧し、その後、吹出し粒径１００μｍ以上のミストを噴霧させる構成としたことにより、洗剤の使用が無くとも、水のみで浴室内の洗浄を行うことができる浴室洗浄装置を提供することができる。
【図面の簡単な説明】
【０００８】
【図１】本発明の実施の形態１および２の浴室洗浄装置の概略図
【図２】洗浄モード選択時の制御を示すフローチャート
【図３】同実施の形態３の浴室洗浄装置の概略図
【発明を実施するための形態】
【０００９】
本発明の請求項１に係る浴室洗浄装置は、吸気口と排気口を有する本体ケースと、前記本体ケース内の前記吸気口と前記排気口を結ぶ風路に設けた送風手段と、前記送風手段と、前記排気口間の風路内に設けた液体微細化手段と、前記液体微細化手段に含まれ供給された液体を微細化するミスト噴霧手段と、前記ミスト噴霧手段から噴霧するミストを加熱する加熱手段と、浴室内温湿度を検知する温湿度センサーと、運転モードを設定するモード設定手段と、前記モード設定手段によって設定された運転モードに対応して、前記液体微細化手段と加熱手段および送風手段を制御する制御手段を備えた浴室洗浄装置において、前記運転モードは、浴室の洗浄モードとして簡単洗浄モードとしっかり洗浄モードとを備え、前記制御手段は、前記簡単洗浄モードにおいて、ミスト噴霧手段から粒径１００μｍ以上のミストを噴霧し、前記しっかり洗浄モードにおいて、浴室内温度が３８℃、湿度が９０％を超えるまでミスト噴霧手段から吹出し温度８０℃で粒径０．１μｍ程度のミストを噴霧し、その後、吹出し粒径１００μｍ以上のミストを噴霧させることを特徴とするものである。
【００１０】
これにより、洗剤の使用が無くとも、水のみで浴室内の洗浄を行うことができる。
【００１１】
また、請求項２に係る浴室洗浄装置は、前記浴室の洗浄モード終了後に前記送風手段５が駆動し、浴室を乾燥させることを特徴とする。
【００１２】
これにより、洗浄モードにて水が噴霧された浴室を送風手段によって素早く乾燥させることができ、カビが生えにくい状態にすることができる。
【００１３】
また、乾燥方法は、冷風でも温風でも良く、外気の状態や季節により変化し、短時間で省エネルギーに乾燥する手段を選択できるものであっても良い。
【００１４】
また、請求項３に係る浴室洗浄装置は、前記粒径１００μｍ以上のミストは、０．３Ｌ／ｍｉｎの流量で１ｍ２あたり水量０．２５Ｌ噴霧することで、入浴後すぐの浴室汚れを確実落とすことができることを特徴とする。
【００１５】
これにより、例えば、浴室全体の壁面積を１２．８ｍ2 (１．６ｍ×２ｍ×４面) とすると、３．２Ｌ程度で洗浄することができるが、家庭に設置されているシャワーで浴室壁面１２．８ｍ２を洗浄すると、８．２Ｌ必要であるので水量を４０％程度に抑えることができる。
【００１６】
また、請求項４に関わる浴室洗浄装置は、前記しっかり洗浄モードが選択された場合には、送風手段５が回転して、吸気口１に入った浴室内の空気温湿度を測定し、温度が３５℃以上、湿度９０％以上であれば、簡単洗浄モードに切り替わることができることを特徴とする。
【００１７】
これにより、温度が３５℃以上、湿度９０％以上の際には、浴室の壁面が温まり、湿潤状態にあることから、汚れがやわらかくなり、落ちやすい状況になっていると考えられる。そのため、既にこの状態になっている場合は、しっかり洗浄モードによる０．１μｍ程度のミスト噴霧と熱量がなくとも、簡単洗浄モードの粒径１００μｍ以上のミストで汚れが落ちると考えられ、余分な水と熱量を使用せずとも汚れを落とすことができる。
【００１８】
また、請求項５に関わる浴室洗浄装置は、前記液体微細化手段とミスト噴霧手段に供給される液体である水道水を電解する電解水生成部と、前記電解水の供給を開閉する給水切替手段とを備えたことを特徴とする。
【００１９】
これにより、浴室壁面に強く付着した汚れであっても、汚れに機械力に加えて電解水の化学的酸化力を与えることができるため、より効果的に汚れの洗浄が可能になるという効果を得ことができる。また、壁面にカビや細菌などの微生物が付着した際に、電解水の酸化力によって除菌を行い、カビや細菌の繁殖による壁面の変色やぬめりの発生を抑制する作用を得ることができる。
【００２０】
また、請求項６に関わる浴室洗浄装置は、しっかり洗浄モードにおいて、送風手段を運転しながら、液体微細化手段を運転することを特徴とする。
【００２１】
これにより、吸気口と排気口を連通する通風路内にある部品の表面に対しても、汚れの除去や除菌効果を与えることができる。あわせて、浴室内に浮遊する微生物を除菌することができる。
【００２２】
以下、本実施の形態について図面を用いて説明する。
【００２３】
（実施の形態１）
図１に示すように、本実施の形態の浴室洗浄装置１は、浴室内に下面を開口して設置する本体ケース２を備えている。本体ケース２は、下面に吸気口３と排気口４を有している。
【００２４】
本体ケース３内には、加熱手段５と、送風手段６と、液体微細化手段７と、ミスト噴霧手段８と、液体微細化手段７と加熱手段５および送風手段６を制御する制御手段９とを備えている。
【００２５】
加熱手段５と送風手段６とは、吸気口３と排気口４を結ぶ風路１０に設けている。
【００２６】
加熱手段５としては、ヒーターや熱交換器が利用できる。熱交換器は、屋外のボイラー装置等から熱動弁を介して温水が供給され、吸気口３から吸い込まれる空気を温めるように動作すればよい。ヒーターとしては、石英管ヒーター、ハロゲンヒーター、カーボンヒーター、シーズヒーター、セラミックヒーター、ＰＣＴヒーターなどが挙げられる。これらの加熱手段を動作させて温度を上げることで、排気口４からの吹き出し空気の温度を３０〜８５℃に上昇させることができる。
【００２７】
また、加熱手段５としての熱交換器は、ミスト噴霧手段８への配管１５の一部に接触して、または配管１５の一部を包囲して設けることで、ミスト噴霧手段８から吹き出するミストの温度を３０〜８５℃に上昇させることもできる。
【００２８】
液体微細化手段７は、間隔を開けて積層した円盤が回転することにより給水された水を遠心力で飛散し、飛散した水滴は、液体微細化手段７ケースの内壁に衝突して破砕され、水の微細化が促進される。
【００２９】
ミスト噴霧手段８は、液体微細化手段７に含まれ、特に供給された液体を微細化するものであり、排気口４に設けている。ミスト噴霧手段８には、ノズルが２種類設けており、吹出し粒径１００μｍと吹出し粒径０．１μｍのミストを選択的に噴霧することができる。これにより、浴室の汚れ程度によって洗浄方法を変えることができる。
【００３０】
なお、液体微細化手段７は、超音波振動子を用いてもよい。超音波素子に接続した発信器からの発振出力を変化させて、超音波振動の周波数や振幅を変えることで、ミスト径を０．１〜５０μｍ 程度まで変化させることができる。この場合、ミスト噴霧手段８は省略されてもよい。高周波の超音波振動によりミストを発生させると、径の小さな（０． １〜２０μｍ程度）のミストが生成され、少量であっても拡散効率及び浸透性が高くなって洗浄効果を高めることができる。低周波の超音波振動によりミストを発生させると、径の大きな（１〜５０μｍ程度）のミストが生成され、多量のミストを発生させてすすぎ洗浄を効果的に行うことができる。
【００３１】
また、ミスト噴霧手段８は、圧力噴霧によるものであっても良い。噴霧圧力を変えるあるいは異なる孔径のミスト噴霧ノズルを複数備えることでミスト径を変化させることができる。この場合、液体微細化手段７は省略されてもよい。
【００３２】
液体微細化手段７と、ミスト噴霧手段８とに水を供給する給水管の上流部には、屋外のボイラー装置等の熱源が接続されていても良い。熱動弁を介して温水が供給されると、液体微細化手段７と、ミスト噴霧手段８から、例えば温度が７０〜８５℃のミストが放出される。
【００３３】
加熱手段５は、吸気口３から入った空気を温めて温風をつくり、その温風を送風手段６で浴室内に送風することで、ミストを噴霧した後の浴室内をすばやく乾燥させることができる。
【００３４】
また、送風手段６に排気と給気を行うダクトを繋いで、浴室内の高湿度空気を排除し、外気を取り入れて乾燥させても良い。
【００３５】
なお粒径は、レーザー光散乱法を用いた装置での測定・検証を行ったものであり、粒径サイズはザウダー粒径平均に基づくものとする。
【００３６】
以上のようにして、洗剤の使用を無くし、水で効率的に浴室内の洗浄を行うことができる。
【００３７】
（実施の形態２）
浴室洗浄装置１の運転モードは、浴室の洗浄モードとして、簡単洗浄モード１３としっかり洗浄モード１４とを備えている。図１に示すように、本体ケース２には、運転モードを選択するモード設定手段１２を備えている。モード設定手段１２は、浴室の外に備えられている。
【００３８】
図２に示すように、洗浄モードは、温湿度センサー１１の値とモード設定手段１２において選択される。入浴後に、使用者がモード設定手段１２において選択できる簡易洗浄モード１３としっかりモード１４のうちいずれかを選択することができる。
【００３９】
モード設定手段１２において、簡易洗浄モード１３が選択された際には、ミスト噴霧手段８は１００μｍのミストを噴霧して、送風手段６で浴室内を乾燥することができる。粒径１００μｍ以上のミストは、０．３Ｌ／ｍｉｎの流量で浴室壁面１ｍ２あたり水量０．２Ｌ噴霧を行う。これにより、浴室内に付着してすぐの汚れを落とすことができる。
【００４０】
しっかりモード１４を選択すると、温湿度センサー１１が浴室の温湿度を測定し、簡易洗浄モード１３に戻すべきか否かの判定が行われる。すなわち、しっかり洗浄モード１４が選択された際に、温湿度センサー１１は、浴室内の温湿度を測定して、制御手段９は、温度３５℃以上、かつ湿度９０％以上であれば、簡単洗浄モード１３に切り替えるものである。これにより、余分なミストを使用せずとも浴室内の汚れを洗浄することができる。
【００４１】
また、しっかり洗浄モード１４が選択され、そのときの浴室内の温湿度が、温度３５℃以上、かつ湿度９０％以下であったときには、０．１μｍのミストが噴霧される。その後一定時間ごとに温湿度センサーによりモニタリングが行われ、温度３５℃以上、かつ湿度９０％以上の環境になったあとに、１００μｍのミストが噴霧され、洗浄することができる。これにより、汚れを落とす前に汚れが落ちやすい状況にすることができ、効果的に洗浄することができる。
【００４２】
なお粒径は、例えば、レーザー光散乱法を用いた装置での測定・検証を行ったものであり、簡単洗浄モード１２としっかり洗浄モード１３両方に使用されるミストはザウダー粒径平均が１００μｍ以上であれば良い。
【００４３】
また、簡単洗浄モード１３としっかり洗浄モード１４両方に使用されるミストは、付着した汚れを洗い流すため、汚れに機械力と与えるために粒径１００μｍ以上とすることが必要である。
【００４４】
例えば入浴直後のように湿度の高い状態では、入浴時に付着した汚れが浴室に固着していないため、簡単洗浄モード１３において、そこに粒径１００μｍ以上のミストを噴霧することで、汚れが固着する前にお湯だけで洗い流すことができ、常に汚れのない清潔な空間を保つことができる。
【００４５】
また、固着汚れが発生してしまった場合には、しっかり洗浄モード１４において、８０℃（７５℃から８５℃の範囲の温度）で粒径０．１μｍ程度のミストを汚れに浸透させることで、汚れと壁面の間にミストが浸透し汚れが落ちやすくなる。また、浴室の温度が上がることで汚れの温度も上がり、汚れが柔らかくなり、そこに粒径の大きいミストを噴霧することで、洗剤を使用しなくとも、水流だけで固着汚れを洗い流すことができる。
【００４６】
また、しっかり洗浄モード１４に使用されるミストは、汚れと壁面の間や、汚れ物質に浸透するサイズである必要があるため、粒径０．１μｍ程度が良い。
【００４７】
また、浴室内温度は３５℃以上であれば良い。これは浴室内温度が３５℃以上に達すれば固着汚れがやわらかくなり、落としやすくなるためである。なお、温度が高いほど汚れは溶けやすくなるが、浴室内の装置や材質等に影響を及ぼす可能性や、温度を上げるまでにかかる時間を考慮すると、３８℃が適切な温度であると考えられる。
【００４８】
なお、固着汚れとは、皮脂汚れ、石鹸カス汚れ、老廃物による汚れなど、人由来の汚れのことである。
【００４９】
さらに、ミストが届く範囲であれば汚れを落とすことができるため、ミスト噴霧手段８を四方向に回転させる構造、またはミスト噴霧手段を四方向に取り付けて噴霧するなどで、全体に噴霧することができれば、浴室内壁面すべてを洗浄することができる。
【００５０】
また、ミストを天井や浴槽、床に噴霧することができれば、浴室全体を洗浄することが可能である。
【００５１】
また、ミストが切り替わるタイミングは、浴室内の温度が３８℃、浴室内の湿度が９０％になったことを温湿度センサー１１で感知したあとであれば良い。
【００５２】
また、浴室内の初期温湿度によって、浴室内の温度が３８℃、浴室内の湿度が９０％になる時間は変化するため、浴室内の温湿度は温湿度センサーにより一定時間ごとにモニタリングを行い、ミスト切り替えのタイミングを検知するものであれば良い。
【００５３】
また温湿度センサーは、浴室内の温湿度を検知することができればよく、浴室内に設置されていても良い。
【００５４】
また、簡単洗浄モード１３としっかり洗浄モード１４の両方に使用されるミストは、汚れに機械力を加えられればよく、マイクロバブル等のエアーを含んだミストであっても良い。
【００５５】
これにより、洗剤の使用を無くし、水で効率的に浴室内の洗浄を行うことができる。
【００５６】
本実施の形態における粒径は、実施の形態１と同様に、レーザー光散乱法を用いた装置での測定・検証を行ったものであり、粒径サイズはザウダー粒径平均に基づくものとする。
【００５７】
（実施の形態３）
実施の形態１および実施の形態２と同様の構成要素については同一の符号を付し、その詳細な説明は省略する。図３に示すように、本実施の形態の浴室洗浄装置１は、浴室内に下面を開口して設置する本体ケース２を備え、下面に吸気口３と排気口４を有している。
【００５８】
液体微細化手段７と、ミスト噴霧手段８とに水を供給する給水管の上流部には、水道水の供給に基づいて電解水を生成する電解水生成部１６と、前記電解水の供給を開閉する給水切替手段１７としてのノズル用電磁弁とを備えている。
【００５９】
電解水生成部１６は、制御手段９から電圧を印加することにより水道水を電解して、水道水に含まれる塩素を遊離させることにより、遊離塩素濃度の高い電解水を生成する。
【００６０】
電解水生成部１６で生成された電解水は、給水切替手段１７としてのノズル用電磁弁を介して、液体微細化手段７とミスト噴霧手段８のいずれか一方、あるいは両方に有利塩素濃度の高い電解水を供給可能である。そして、浴室内の清掃時には、給水切替手段１７としてのノズル用電磁弁が開放されて、浴室内に電解水が噴霧される。電解水生成部１６に制御手段９から電圧を印加していない時には、電解されていない水道水が噴霧される。
【００６１】
液体微細化手段７と、ミスト噴霧手段８とに水を供給する給水管の上流部には、屋外のボイラー装置等の熱源が接続されていても良い。熱動弁を介して温水が供給されると、液体微細化手段７と、ミスト噴霧手段８からは、例えば８０℃（７５℃から８５℃の範囲の温度）の電解水ミストが放出される。
【００６２】
浴室洗浄装置１の運転モードは、浴室の洗浄モードとして、簡単洗浄モード１３としっかり洗浄モード１４とを備えている。
【００６３】
モード設定手段１２において、簡易洗浄モード１３が選択された際には、電解水生成部１５に電圧が印加され、ミスト噴霧手段８から１００μｍの電解水ミストが噴霧される。浴室壁面に強く付着した汚れであっても、汚れに機械力に加えて電解水の化学的酸化力を与えることができるため、より効果的に汚れの洗浄が可能になるという効果を得ることができる。また、壁面にカビや細菌などの微生物が付着した際に、電解水の酸化力によって除菌を行い、カビや細菌の繁殖による壁面の変色やぬめりの発生を抑制する作用を得ることができる。
【００６４】
ここでの噴霧時間は、事前に浴室などに多く生息する雑菌やカビを用いて、実験的に制御手段９に記憶させておく。例えば電解水の遊離塩素濃度が１〜２ｐｐｍ程度の時には、雑菌やカビを洗い流すために１０分以上の噴霧が必要であり、電解水噴霧時間は１０分以上の例えば１２分と記憶をさせると良い。
【００６５】
なお、浴室内に金属ねじ等の腐食しやすい部品が存在する際には、電解水を任意の時間供給した後、電解水生成部１３への電圧印加を停止し、水道水によるすすぎ運転をおこなってもよい。
【００６６】
ミストの噴霧が終了した後、吸気口３から入った空気を送風手段６で浴室内に送風することで、ミストを噴霧した後の浴室内を乾燥させることができる。
【００６７】
しっかり洗浄モード１４が選択され、そのときの浴室内の温湿度が、温度３５℃以上、かつ湿度９０％以下であったときには、０．１μｍの電解水ミストが噴霧される。その後一定時間ごとに温湿度センサーによりモニタリングが行われ、温度３５℃以上、かつ湿度９０％以上の環境になったあとに、１００μｍの電解水ミストが噴霧され、より効果的に洗浄することができる。
【００６８】
０．１μｍの電解水ミストは、非常に小さいため気流に乗って移動する。送風手段６を運転しながら０．１μｍの電解水を噴霧した場合、浴室内の汚れに作用するだけではなく、吸気口３と排気口４を連通する通風路内にある部品の表面に対しても、汚れの除去や除菌効果を与えることができる。すなわち、吸気口３としての吸気グリルや、加熱手段５としてのヒーターや熱交換器、送風手段６としてのファン、液体微細化手段７などを清潔に保つ作用を得ることができる。あわせて、浴室内に浮遊する微生物を除菌することができる。
【産業上の利用可能性】
【００６９】
本発明に係る浴室洗浄装置は、浴室壁面および浴室洗浄装置の通風路に付着する水垢や微生物を残りにくくするための洗浄装置として活用が期待されるものである。
【符号の説明】
【００７０】
１    浴室洗浄装置
２    本体ケース
３    吸気口
４    排気口
５    加熱手段
６    送風手段
７    液体微細化手段
８    ミスト噴霧手段
９    制御手段
１０    風路
１１    温湿度センサー
１２    モード設定手段
１３    簡単洗浄モード
１４    しっかり洗浄モード
１５    配管経路
１６    電解水生成部
１７    給水切替手段
【図１】
2019063487.tif 000003
【図２】
2019063487.tif 000004
【図３】
2019063487.tif 000005